(57)【特許請求の範囲】
【請求項１】
１つ以上の青色ＬＥＤ素子を有してなるＬＥＤ群と、蛍光体と、前記ＬＥＤ群を収容する収容部とを有する白色ＬＥＤ光源を複数備え、
前記収容部内には、青色ＬＥＤ素子が偏って配置されて収容部の中央位置から前記ＬＥＤ群の配置中心がずれるものであり、
前記複数の白色ＬＥＤ光源は、前記収容部の中央位置が直線状に揃うように配置される少なくとも１つが他の白色ＬＥＤ光源と比較して、前記ＬＥＤ群の配置中心が前記収容部の配列方向に沿って延び前記収容部の中央位置を通る直線に対して反転するように配置されることを特徴とする照明装置。
【請求項２】
請求項１に記載の照明装置において、
前記複数の白色ＬＥＤ光源は、所定間隔毎に前記ＬＥＤ群の配置中心が前記収容部の中央位置を通る直線に対して反転するように配置されることを特徴とする照明装置。
【請求項３】
請求項１又は２に記載の照明装置において、
前記複数の白色ＬＥＤ光源は、１個ごとに前記ＬＥＤ群の配置中心が前記収容部の中央位置を通る直線に対して反転するように配置されることを特徴とする照明装置。
【請求項４】
１つ以上の青色ＬＥＤ素子を有してなるＬＥＤ群と、蛍光体と、前記ＬＥＤ群を収容する収容部とを有する白色ＬＥＤ光源を複数備えると共に、前記複数の白色ＬＥＤ光源の照射方向に集光レンズを備え、
前記収容部内には、青色ＬＥＤ素子が偏って配置されて収容部の中央位置から前記ＬＥＤ群の配置中心がずれるものであり、
前記複数の白色ＬＥＤ光源は、前記ＬＥＤ群の配置中心が前記集光レンズの設計中心と一致すると共に前記ＬＥＤ群の配置中心が直線状に揃うように配置される少なくとも１つが他の白色ＬＥＤ光源と比較して、前記収容部の中央位置が前記収容部の配列方向に沿って延び前記ＬＥＤ群の配置中心を通る直線に対して反転するように配置されることを特徴とする照明装置。
【請求項５】
請求項１〜４のいずれか一項に記載の照明装置において、
前記複数の白色ＬＥＤ光源の照射方向に拡散パネルを備えたことを特徴とする照明装置。
【請求項６】
請求項１〜５のいずれか一項に記載の照明装置において、
前記複数の白色ＬＥＤ光源の照射方向に集光レンズを備え、
前記集光レンズは、その光出射面が光拡散処理されることを特徴とする照明装置。
【発明の詳細な説明】
【技術分野】
【０００１】
本発明は、照明装置に関するものである。
【背景技術】
【０００２】
従来、青色ＬＥＤ素子と黄色蛍光体とを有する白色ＬＥＤ光源を備えた照明装置が提案されている。
【発明の概要】
【発明が解決しようとする課題】
【０００３】
ところで、上記のような白色ＬＥＤ光源を備えた照明装置では、図４（ａ）（ｂ）に示すように白色ＬＥＤ光源１１を構成する青色ＬＥＤ素子２１を収容する収容部２２内において、１つ以上の青色ＬＥＤ素子からなるＬＥＤ群ＬＧの配置中心Ｐ１を収容部２２の中央位置Ｐ０からずらすことがある。これは、例えばコスト等の面から、収容部２２内において例えば青色ＬＥＤ素子２１以外の部材（例えばツェナーダイオード）を収容しているためである。
【０００４】
ここで、上記構成の白色ＬＥＤ光源１１の色特性について図５（ａ）及び図５（ｂ）に示す。図５（ａ）は、白色ＬＥＤ光源１１からの光の方向と、その方向における色温度との関係を示すものである。また、図５（ｂ）は、白色ＬＥＤ光源１１からの光の方向と、その方向におけるＣＩＥ１９３１表色系における色度ｘ、ｙとの関係を示すものである。図５（ａ）及び図５（ｂ）にエリアＡｒ１，Ａｒ２からわかるように、上記構成の白色ＬＥＤ光源は、青色ＬＥＤ素子２１（ＬＥＤ群ＬＧ）から離れると、図４（ｂ）に示すように黄色味の強い白色の光となり、色むらが発生してしまう。なお、図４（ｂ）では線の太さで黄色味の強さを表している。
【０００５】
本発明は、上記課題を解決するためになされたものであって、その目的は、青色ＬＥＤ素子が偏って配置されてなる白色ＬＥＤ光源を列設する照明装置における、色むらを抑えることができる照明装置を提供することにある。
【課題を解決するための手段】
【０００６】
上記課題を解決するために、本発明の照明装置は、１つ以上の青色ＬＥＤ素子を有してなるＬＥＤ群と、蛍光体と、前記ＬＥＤ群を収容する収容部とを有する白色ＬＥＤ光源を複数備え、前記収容部内には、青色ＬＥＤ素子が偏って配置されて収容部の中央位置から前記ＬＥＤ群の配置中心がずれるものであり、前記複数の白色ＬＥＤ光源は、前記収容部の中央位置が直線状に揃うように配置される少なくとも１つが他の白色ＬＥＤ光源と比較して、前記ＬＥＤ群の配置中心が前記収容部の配列方向に沿って延び前記収容部の中央位置を通る直線に対して反転するように配置されることを特徴とする。
【０００７】
また上記構成において、前記複数の白色ＬＥＤ光源は、所定間隔毎に前記ＬＥＤ群の配置中心が前記収容部の中央位置を通る直線に対して反転するように配置されることが好ましい。
また上記構成において、前記複数の白色ＬＥＤ光源は、１個ごとに前記ＬＥＤ群の配置中心が前記収容部の中央位置を通る直線に対して反転するように配置されることが好ましい。
【０００８】
また上記構成において、１つ以上の青色ＬＥＤ素子を有してなるＬＥＤ群と、蛍光体と、前記ＬＥＤ群を収容する収容部とを有する白色ＬＥＤ光源を複数備えると共に、前記複数の白色ＬＥＤ光源の照射方向に集光レンズを備え、前記収容部内には、青色ＬＥＤ素子が偏って配置されて収容部の中央位置から前記ＬＥＤ群の配置中心がずれるものであり、前記複数の白色ＬＥＤ光源は、前記ＬＥＤ群の配置中心が前記集光レンズの設計中心と一致すると共に前記ＬＥＤ群の配置中心が直線状に揃うように配置される少なくとも１つが他の白色ＬＥＤ光源と比較して、前記収容部の中央位置が前記収容部の配列方向に沿って延び前記ＬＥＤ群の配置中心を通る直線に対して反転するように配置されることが好ましい。
【０００９】
また上記構成において、前記複数の白色ＬＥＤ光源の照射方向に拡散パネルを備えることが好ましい。
【００１０】
また上記構成において、前記複数の白色ＬＥＤ光源の照射方向に集光レンズを備え、前記集光レンズは、その光出射面が光拡散処理されることが好ましい。
【発明の効果】
【００１１】
本発明によれば、青色ＬＥＤ素子が偏って配置されてなる白色ＬＥＤ光源を列設する照明装置における、色むらを抑えることができる照明装置を提供することができる。
【図面の簡単な説明】
【００１２】
【図１】（ａ）〜（ｃ）は、実施形態における照明装置の概略構成図である。
【図２】（ａ）〜（ｃ）は、別例における照明装置の概略構成図である。
【図３】（ａ）（ｂ）は、別例における照明装置の概略構成図である。
【図４】（ａ）（ｂ）は、比較例における照明装置の概略構成図である。
【図５】（ａ）（ｂ）は、同上における照明装置の色むらについて説明するための特性図である。
【発明を実施するための形態】
【００１３】
以下、本発明を具体化した一実施形態を図面に従って説明する。
図１（ａ）〜（ｃ）に示すように、本実施形態の照明装置１０は、複数の白色ＬＥＤ光源１１と、集光レンズ１２と、拡散パネル１３とを備える。
【００１４】
図１（ａ）〜（ｃ）に示すように、白色ＬＥＤ光源１１は、複数の青色ＬＥＤ素子２１と、この青色ＬＥＤ素子２１を収容する略有底筒状の収容部２２と、前記収容部２２の青色ＬＥＤ素子２１の出射面側に設けられる黄色蛍光体２３とを備える。なお、収容部２２に収容される複数の青色ＬＥＤ素子２１によりＬＥＤ群ＬＧが構成される。
【００１５】
ＬＥＤ群ＬＧは、その配置中心Ｐ１が前記収容部２２の中央位置Ｐ０からずれた位置に偏って配置される。
集光レンズ１２は、樋状をなし、各白色ＬＥＤ光源１１に対応して直線状に略等間隔で設けられる。そして、集光レンズ１２は白色ＬＥＤ光源１１から発した光を拡散パネル１３側に効率よく光を導くためのものである。
【００１６】
拡散パネル１３は、アクリルやポリカーボネードなどの透明樹脂に光拡散材（酸化チタンや炭酸カルシウムなどをベースとした粒子）を分散させて構成される。
図１（ａ）に示すように、上記のように構成された白色ＬＥＤ光源１１は、１個ごとに前記ＬＥＤ群ＬＧの配置中心Ｐ１が反転するように配置される。また、白色ＬＥＤ光源１１は、ＬＥＤ群ＬＧを収容する収容部２２の中央位置Ｐ０が直線状に揃うように配置される。
【００１７】
次に、上記のように構成された照明装置の作用（動作例）について説明する。
照明装置１０は、図示しない電源からの供給により各白色ＬＥＤ光源１１が点灯される。このとき、例えば図１（ｂ）に示すように、収容部２２内において一方側（図では右側）にＬＥＤ群ＬＧが偏って配置される。また、例えば図１（ｃ）に示すように、収容部２２内において他方側（図では左側）にＬＥＤ群ＬＧが偏って配置される。このため、例えばＬＥＤ群ＬＧを収容部２２の一方側に配置した白色ＬＥＤ光源１１は、ＬＥＤ群ＬＧ側から黄色味の弱い白色光が照射され、ＬＥＤ群ＬＧの反対側（図では左側）から黄色みの強い白色光が照射される。また、例えばＬＥＤ群ＬＧを収容部２２の他方側に配置した白色ＬＥＤ光源１１は、ＬＥＤ群ＬＧ側から黄色味の弱い白色光が照射され、ＬＥＤ群ＬＧの反対側（図では右側）から黄色みの強い白色光が照射される。
【００１８】
そして、白色ＬＥＤ光源１１は、１個ごとにＬＥＤ群ＬＧの配置中心Ｐ１が反転するように配置されるため、直線状に配置される白色ＬＥＤ光源１１は、全体を見た場合に黄色味の強い白色光と黄色味の弱い白色光とが混ざり合うこととなる。これにより、拡散パネル１３においては色むらを抑えることができる。また、本実施形態では拡散パネル１３内部の光拡散材によって、更に色むらを抑えることができる。
【００１９】
また、白色ＬＥＤ光源１１は１個ごとにＬＥＤ群ＬＧの配置中心Ｐ１が反転するため、前述の配設間隔が極端に広い場合でも、或る白色ＬＥＤ光源１１の照射領域とこの白色ＬＥＤ光源１１と隣り合う白色ＬＥＤ光源１１の照射領域が重なることで、色むらを確実に抑えることができる。
【００２０】
次に、本実施形態の特徴的な効果を記載する。
（１）照明装置１０は１つ以上の青色ＬＥＤ素子２１を有してなるＬＥＤ群ＬＧと、黄色蛍光体２３と、前記ＬＥＤ群ＬＧを収容する収容部２２とを有する白色ＬＥＤ光源１１を複数備える。収容部２２内には、青色ＬＥＤ素子２１が偏って配置されて収容部２２の中央位置Ｐ０から前記ＬＥＤ群ＬＧの配置中心Ｐ１がずれるように配置される。複数の白色ＬＥＤ光源１１は、列設される少なくとも１つが他の白色ＬＥＤ光源１１と比較して、前記ＬＥＤ群ＬＧの配置中心Ｐ１が反転するように配置される。このような構成とすることで、複数の白色ＬＥＤ光源１１全体を見た時にＬＥＤ群ＬＧが一方向に偏ることを抑えることができるため、白色ＬＥＤ光源１１全体による色むらを抑えることが可能となる。
【００２１】
（２）複数の白色ＬＥＤ光源１１は、１個ごとに前記ＬＥＤ群ＬＧの配置中心が反転するように配置される。このような構成とすることで、白色ＬＥＤ光源１１の配設方向における配設間隔が広い場合に、発生しうる色むらを抑制することができる。
【００２２】
（３）複数の白色ＬＥＤ光源１１は、前記収容部２２の中央位置Ｐ０が直線状に揃うように配置される。このような構成とすることで、白色ＬＥＤ光源１１の配設方向に発生する輝度むらを抑制することができる。
【００２３】
（４）複数の白色ＬＥＤ光源１１の照射方向に拡散パネル１３を備えるため、拡散パネル１３による拡散効果が加わることとなり、さらに色むらを抑制することができる。
尚、本発明の実施形態は、以下のように変更してもよい。
【００２４】
・上記実施形態では、拡散パネル１３を備える構成を採用したが、拡散パネル１３を省略した構成を採用してもよい。
・上記実施形態では、集光レンズ１２を備える構成を採用したが、図３（ａ）（ｂ）に示すように集光レンズ１２を省略した構成を採用してもよい。また、集光レンズ１２及び拡散パネル１３を省略した構成を採用してもよい。
【００２５】
・上記実施形態では、特に言及していないが、集光レンズ１２の光出射面１２ａにプリズム、ディンプル、シボなどの光拡散処理を施してもよい。このような構成とすることで、更に色むらを軽減することができる。
【００２６】
・上記実施形態では、前記複数の白色ＬＥＤ光源１１の収容部２２の中央位置Ｐ０が直線状に揃うように配置したが、これに限らない。例えば、照明装置１０の仕様等によって曲線状に列設する場合には、複数の白色ＬＥＤ光源１１の収容部２２の中央位置Ｐ０が曲線状に揃うように配置してもよい。
【００２７】
・上記実施形態では、前記複数の白色ＬＥＤ光源１１の収容部２２の中央位置Ｐ０が直線状に揃うように配置したが、これに限らない。例えば図２（ａ）に示すようにＬＥＤ群ＬＧの配置中心Ｐ１が直線状に揃うように配置してもよい。このとき、ＬＥＤ光源１１は、図２（ｂ）（ｃ）に示すように、集光レンズ１２の設計中心ＤＣ１と前記ＬＥＤ群ＬＧの配置中心Ｐ１とが一致するように配設される。このような構成とすることで、レンズの設計中心と発光部の輝度中心と図２（ｂ）（ｃ）のように合わせることにより、輝度むらを抑えることができる。なお、照明装置１０の仕様等によって曲線状に列設する場合には、ＬＥＤ群ＬＧの配置中心Ｐ１が直線状に揃うように配置してもよい。
・上記実施形態では、複数の白色ＬＥＤ光源１１が１個ごとにＬＥＤ群ＬＧの配置中心Ｐ１が反転するように配置したが、これに限らず、所定間隔（例えば２個以上）ごとに配置中心Ｐ１が反転するように配置してもよい。
【符号の説明】
【００２８】
１０…照明装置、１１…白色ＬＥＤ光源、１２…集光レンズ、１２ａ…光出射面、１３…拡散パネル、２１…青色ＬＥＤ素子、２２…収容部、ＬＧ…ＬＥＤ群、Ｐ０…中央位置、Ｐ１…配置中心、ＤＣ１…設計中心。
【図１】
0005927555.tif 000002
【図２】
0005927555.tif 000003
【図３】
0005927555.tif 000004
【図４】
0005927555.tif 000005
【図５】
0005927555.tif 000006